(57)【要約】【課題】コンタクトの小さな変位量で大きな接触圧を確保できると共に生産性に優れたコネクタを提供する。【解決手段】コネクタ１０は、コンタクト２０と、収容部４０を有するハウジング３０と、を備えている。収容部４０は、コンタクト２０の突出方向から突出方向と垂直な方向の一方側にかけて開口している。コンタクト２０は、ハウジング３０に固定される固定部２２と、接続対象物と接触する接触部２５と、弾性変形するバネ部（第一湾曲部２３Ａ）と、接触部２５に対してバネ部とは反対側に設けられた係止部２７と、を備えている。ハウジング３０は、係止部２７の突出方向への移動を制限することによりバネ部が弾性変形した状態を維持する張出部３５を備えている。コンタクト２０は、係止部２７から、突出方向と垂直な方向の一方側とは反対側である他方側に向けて延び、他方側へ向けて突出方向とは反対側へ傾斜した傾斜部２８をさらに備えている。【選択図】図２
2018133316.tif 000002
【特許請求の範囲】
【請求項１】
帯板状で屈曲した導電性のコンタクトと、前記コンタクトの一部を突出させた状態で前記コンタクトの他の一部を収容する収容部を有するハウジングと、を備えたコネクタであって、
前記収容部は、前記コンタクトの突出方向から前記突出方向と垂直な方向の一方側にかけて開口しており、
前記コンタクトは、
前記ハウジングに固定される固定部と、
前記収容部から突出し、接続対象物と接触する接触部と、
前記固定部と前記接触部との間に設けられ、前記固定部と前記接触部との前記突出方向の離間距離が小さくなるように弾性変形するバネ部と、
前記接触部に対して前記バネ部とは反対側に設けられた係止部と、を備えており、
前記ハウジングは、前記係止部の前記突出方向への移動を制限することにより前記バネ部が弾性変形した状態を維持する係止受部を備えており、
前記コンタクトは、前記係止部から、前記突出方向と垂直な方向の前記一方側とは反対側である他方側に向けて延び、前記他方側へ向けて前記突出方向とは反対側へ傾斜した傾斜部をさらに備えている、
コネクタ。
【請求項２】
前記係止受部は、前記収容部の前記突出方向の端部に設けられた張出部である、
請求項１に記載のコネクタ。
【請求項３】
前記係止受部は、前記収容部の幅方向両側から張出した一対の張出部であり、
前記係止部は、前記一対の張出部の両方によって前記突出方向への移動を制限され、
前記傾斜部は、前記係止部の幅方向両側から延びている、
請求項１又は請求項２に記載のコネクタ。
【発明の詳細な説明】
【技術分野】
【０００１】
本発明は、コネクタに関する。
【背景技術】
【０００２】
従来のコネクタとして、収容凹部が形成された樹脂製のハウジングと、金属板を帯板状に打ち抜き加工した後に折り曲げ加工したコンタクトと、を組み合わせたコネクタが知られている（例えば、特許文献１（第１図、第３図）参照）。このコネクタでは、コンタクトをハウジングの収容凹部に差し込むことでコンタクトがハウジングに組み込まれているため、製造が容易である。
【０００３】
ところで、この種のコネクタが接続対象物と安定した接続を実現するためには、コンタクトで適切な接触圧を確保する必要がある。
しかし、接触圧はコンタクトの変位量に依存する一方で、各種電気機器の小型化が進むにつれて、それに用いられるコネクタも小型化が求められている。コネクタを小型化すると、適切な接触圧を確保するために必要となる、コンタクトが変位するスペースを充分に確保できなくなるという問題がある。
【０００４】
このような問題に対処できるコネクタとして、予めコンタクトを途中まで弾性変形させた状態（プリロード状態）でハウジングに保持させておきつつ、接続対象物とコンタクトが接触した際にさらに弾性変形させるようにしたコネクタが知られている（例えば、特許文献２（第５図、第２図）参照）。
【先行技術文献】
【特許文献】
【０００５】
【特許文献１】特開２０１２−２５６５６３号公報
【特許文献２】特開２００６−１６４６８２号公報
【発明の概要】
【発明が解決しようとする課題】
【０００６】
しかしながら、特許文献２に記載のコネクタでは、特許文献２の第５図に示される非プリロード状態から、特許文献２の第２図に示されるプリロード状態にするための工程が別途必要となり、生産性が良くないという問題がある。
【０００７】
本発明は、上記課題を解決するためになされたものであり、コンタクトの小さな変位量で大きな接触圧を確保できると共に生産性に優れたコネクタを提供することを目的とする。
【課題を解決するための手段】
【０００８】
第一の態様に係るコネクタは、帯板状で屈曲した導電性のコンタクトと、前記コンタクトの一部を突出させた状態で前記コンタクトの他の一部を収容する収容部を有するハウジングと、を備えたコネクタであって、前記収容部は、前記コンタクトの突出方向から前記突出方向と垂直な方向の一方側にかけて開口しており、前記コンタクトは、前記ハウジングに固定される固定部と、前記収容部から突出し、接続対象物と接触する接触部と、前記固定部と前記接触部との間に設けられ、前記固定部と前記接触部との前記突出方向の離間距離が小さくなるように弾性変形するバネ部と、前記接触部に対して前記バネ部とは反対側に設けられた係止部と、を備えており、前記ハウジングは、前記係止部の前記突出方向への移動を制限することにより前記バネ部が弾性変形した状態を維持する係止受部を備えており、前記コンタクトは、前記係止部から、前記突出方向と垂直な方向の前記一方側とは反対側である他方側に向けて延び、前記他方側へ向けて前記突出方向とは反対側へ傾斜した傾斜部をさらに備えている。
【０００９】
第一の態様に係るコネクタでは、コンタクトが係止部を備え、ハウジングが係止受部を備えている。係止受部は、コンタクトの係止部の突出方向への移動を制限することによりバネ部が弾性変形した状態を維持する。
このため、コンタクトがプリロード状態になっているので、接触部の小さな変位量（突出方向とは反対側の変位量）で接触対象物に対する大きな接触圧を確保できる。
【００１０】
また、ハウジングは、コンタクトの一部を突出させた状態でコンタクトの他の一部を収容する収容部を有しており、収容部は、コンタクトの突出方向から当該突出方向に垂直な方向の一方側にかけて開口している。
このため、コンタクトの一部を収容部に収容させる作業（コンタクトをハウジングに組み込む作業、以下「組込み作業」という。）を、収容部に対して突出方向に垂直な方向の一方側からコンタクトを差し込むことで行うことができる。
【００１１】
さらに、コンタクトは、係止部から、突出方向と垂直な方向の一方側とは反対側である他方側に向けて延び、当該他方側へ向けて突出方向とは反対側へ傾斜した傾斜部を備えている。換言すると、傾斜部は、係止部からコンタクトの差込み方向前側に向けて延びており、差込み方向前側へ向けて突出方向とは反対側へ傾斜している。
したがって、組込み作業において、上述のようにコンタクトを収容部に差し込むときに、傾斜部をハウジングの係止受部に当接させることで、コンタクトの係止部をハウジングの係止受部に誘い込み、固定部と接触部との突出方向の離間距離が小さくなるようにコンタクトのバネ部を弾性変形させることができる。
つまり、ハウジングの収容部にコンタクトを差し込むことで、収容部にコンタクトの一部を収容させるだけでなく、コンタクトをプリロード状態にすることができる。
【００１２】
第二の態様に係るコネクタは、第一の態様において、前記係止受部は、前記収容部の前記突出方向の端部に設けられた張出部である。
【００１３】
第二の態様に係るコネクタでは、係止受部が、収容部の突出方向の端部に設けられた張出部であるので、収容部のうち、係止受部に対して突出方向と反対側の空間を大きく確保できる。つまり、コンタクトがプリロード状態からさらに弾性変形する際に、その弾性変形（変形ストローク）を許容する空間を大きく確保できる。よって、充分な接触圧をより一層確保しやすい。
【００１４】
第三の態様に係るコネクタは、第一の態様又は第二の態様において、前記係止受部は、前記収容部の幅方向両側から張出した一対の張出部であり、前記係止部は、前記一対の張出部の両方によって前記突出方向への移動を制限され、前記傾斜部は、前記係止部の幅方向両側から延びている。
【００１５】
第三の態様に係るコネクタでは、係止部の突出方向への移動を制限する係止受部が、収容部の幅方向両側から張出した一対の張出部であり、係止部は、一対の張出部の両方によって突出方向への移動を制限される。このため、組み込まれたコンタクトが幅方向の片側へ傾いてしまうことが抑制される。さらに、傾斜部が、係止部の幅方向両側からそれぞれ延びている。このため、組込み作業中、傾斜部が一対の張出部の両方に接触するので、組込み作業中に、コンタクトが幅方向の片側へ傾いてしまうことが抑制される。
【発明の効果】
【００１６】
以上説明したように、本発明に係るコネクタは、コンタクトの小さな変位量で大きな接触圧を確保できると共に生産性に優れるという効果を有する。
【図面の簡単な説明】
【００１７】
【図１】実施形態に係るコネクタを示す斜視図である。
【図２】図１の２−２線断面図である。
【図３】実施形態に係る自由状態のコンタクトを示す斜視図である。
【図４】実施形態に係る自由状態のコンタクトを示す側面図である。
【図５】実施形態に係るハウジングを示す斜視図である。
【図６】実施形態に係るハウジングを示す背面図である。
【図７】図６の７−７線断面図である。
【図８】コンタクトをハウジングに組付ける作業中の様子を示す断面図である。
【発明を実施するための形態】
【００１８】
以下、本発明の実施形態に係るコネクタ１０について説明する。
【００１９】
＜コネクタ＞
図１及び図２に示されるように、コネクタ１０は、コンタクト２０とハウジング３０とを備えており、コンタクト２０がハウジング３０に組み込まれることで構成されている。
【００２０】
以下の説明では、まず、ハウジング３０に組み込まれる前の状態（自由状態）のコンタクト２０と、ハウジング３０と、について説明する。そして、ハウジング３０にコンタクト２０を組み込む作業（「組込み作業」）について説明し、その後、ハウジング３０にコンタクト２０が組み込まれた状態のコネクタ１０（単に「コネクタ１０」という。）について説明する。
【００２１】
＜コンタクト（自由状態）＞
まず、図３及び図４を用いて、ハウジング３０に組み込まれる前の状態（自由状態）のコンタクト２０について説明する。
【００２２】
なお、以下のコンタクト２０についての説明では、図３及び図４に示される矢印Ｘをコンタクト前方向、矢印Ｙをコンタクト幅方向一方側、矢印Ｚをコンタクト上方向として説明する。また、特記なく前後、上下、幅という語を用いる場合は、コンタクト前後方向の前後、コンタクト上下方向の上下、コンタクト幅方向の幅を示すものとする。
【００２３】
コンタクト２０は、例えば、板材をプレス加工により帯板状に打ち抜いた後、曲げ加工を施すことで形成されている。コンタクト２０の材質は、導電性を有する材質、例えば銅合金である。
【００２４】
コンタクト２０は、その一端側から他端側へ向けて、基板接続部２１Ａと、固定部２２と、「バネ部」としての第一湾曲部２３Ａと、第二湾曲部２３Ｃと、第一直線部２４と、接触部２５と、第二直線部２６Ａと、第三湾曲部２６Ｂと、第三直線部２６Ｃと、係止部２７と、傾斜部２８と、を主要な構成部分として備えている。
以下、帯板状のコンタクト２０について、接触部２５における接触対象物に接触する側の面（上面）を外面とし、外面とは反対側の面を内面として説明する。
【００２５】
基板接続部２１Ａは、板厚方向を前後方向に向けており、上下方向に延びている。基板接続部２１Ａは、コネクタ１０が固定される基板（図示省略）のランドパターンに接続される。基板接続部２１Ａの上端は、板厚方向外面側へ略９０度屈曲した第一屈曲部２１Ｂを介して、固定部２２に繋がっている。
【００２６】
固定部２２は、板厚方向を上下方向に向けており、前後方向に延びている。固定部２２の後端付近は、基板接続部２１Ａと略同一の幅寸法とされた幅狭部２２Ａとなっており、幅狭部２２Ａよりも前方側には、幅寸法が幅狭部２２Ａに対して幅方向両側に拡大された幅広部２２Ｂが形成されている。幅広部２２Ｂの幅方向両側には、係止突起２２Ｔが形成されている。係止突起２２Ｔは、後述するハウジング３０の固定溝３４（図６や図７参照）に圧入されることで、固定部２２をハウジング３０に対して固定する働きをする。固定部２２の他端側（前端側）は、第一湾曲部２３Ａに繋がっている。
【００２７】
第一湾曲部２３Ａは、板厚方向内面側に湾曲している。これにより、第一湾曲部２３Ａは、その一端側では前方へ延びているが、上方へ向けて次第に方向転換した後、他端側では後方かつ上方の斜め方向へ延びている。第一湾曲部２３Ａの他端側が延びる方向は、後方向に対して若干上方へ傾いた方向になっている。第一湾曲部２３Ａの他端側は、直線状に延びる転換部２３Ｂを介して、第二湾曲部２３Ｃに繋がっている。
【００２８】
第二湾曲部２３Ｃは、第一湾曲部２３Ａとは反対側（板厚方向外面側）に湾曲している。第二湾曲部２３Ｃは、その他端側で後方かつ上方の斜め方向に延びている。第二湾曲部２３Ｃの他端側は、第一直線部２４に繋がっている。
【００２９】
第一直線部２４は、後方かつ上方の斜め方向に直線状に延びている。具体的には、第一直線部２４が延びる方向は、水平方向に対して約６０度になっている。
【００３０】
第一直線部２４の他端付近（上端付近）は、第一直線部２４の他の部分と比較して、幅寸法が小さくなっている。換言すると、第一直線部２４は、第一湾曲部２３Ａや第二湾曲部２３Ｃと同じ幅寸法の幅広部２４Ａと、幅寸法が変化する変化部２４Ｂと、幅広部２４Ａよりも小さい幅寸法の幅狭部２４Ｃと、を備えている。第一直線部２４の他端側（上端側）は、接触部２５に繋がっている。
【００３１】
接触部２５は、板厚方向内面側へ屈曲しており、上方へ凸となる形状になっている。接触部２５は、相手側基板のランドパターンなどの「接触対象物」と接触する部分である。接触部２５の他端側（後端側）は、第二直線部２６Ａに繋がっている。
【００３２】
第二直線部２６Ａは、後方かつ下方の斜め方向（後方側へ向かって緩やかに下り勾配となった方向）へ直線状に延びている。第二直線部２６Ａの他端側は、第三湾曲部２６Ｂに繋がっている。
【００３３】
また、上述した第一直線部２４、接触部２５、及び第二直線部２６Ａには、その幅方向中央に、外面側（上方側）へ突出するビード２９が一体に形成されている。ビード２９は、第一直線部２４の延在方向中間部から接触部２５を跨いで第二直線部２６Ａの延在方向中間部までの範囲に形成されている。
【００３４】
第三湾曲部２６Ｂは、板厚方向内面側へ向けて湾曲している。第三湾曲部２６Ｂの他端は、第三直線部２６Ｃに繋がっている。
【００３５】
第三直線部２６Ｃは、後方かつ下方の斜め方向（後方へ向かって急な下り勾配となった方向）へ直線状に延びている。第三直線部２６Ｃは、第二直線部２６Ａよりも急な下り勾配になっている。第三直線部２６Ｃの他端は、板厚方向外面側へ向けて屈曲した第二屈曲部２６Ｄを介して、係止部２７に繋がっている。
【００３６】
係止部２７は、後方かつ上方の斜め方向（具体的には、後方へ向けて若干上り勾配となった方向）に直線状に延びている。これにより、係止部２７の外面（上面）も、後方へ向けて若干上り勾配となっている。係止部２７の一端側（前端側）であって幅方向の両端部は、傾斜部２８に繋がっている。
【００３７】
傾斜部２８は、第三直線部２６Ｃ及び第二屈曲部２６Ｄの幅方向外側に対応する部分を切り離し、接続部２８Ａにおいて板厚方向内側へ屈曲させることで形成されている。このため、傾斜部２８は、幅方向に並んで一対形成されている。傾斜部２８は、その基端部の板厚方向内面側へ屈曲した接続部２８Ａと、接続部２８Ａから前方かつ下方の斜め方向に直線状に延びる本体部２８Ｂと、を備えている。本体部２８Ｂの外面（上面）は、接続部２８Ａの外面を介して係止部２７の外面に滑らかに接続されている。
【００３８】
図４に示されるように、係止部２７及び傾斜部２８は、共に前方に向かって下方側に傾斜している点では共通しているが、傾斜部２８の方が係止部２７よりも、前方へ向かって急な下り勾配になるように傾斜している。
【００３９】
図３に示されるように、係止部２７の幅寸法Ｗ３は、第一直線部２４の幅狭部２４Ｃ、接触部２５、第二直線部２６Ａ、第三湾曲部２６Ｂ、第三直線部２６Ｃ及び第二屈曲部２６Ｄの幅寸法Ｗ１よりも大きく、また、第一直線部２４の幅広部２４Ａの幅寸法Ｗ２よりも大きくなっている。
また、傾斜部２８の幅寸法Ｗ４（一対の傾斜部２８を併せてみたときの幅寸法）は、係止部２７の幅寸法Ｗ３と略同一である。したがって、傾斜部２８の幅寸法Ｗ４は、第一直線部２４の幅狭部２４Ｃ、接触部２５、第二直線部２６Ａ、第三湾曲部２６Ｂ、第三直線部２６Ｃ及び第二屈曲部２６Ｄの幅寸法Ｗ１よりも大きく、また、第一直線部２４の幅広部２４Ａの幅寸法Ｗ２よりも大きくなっている。
【００４０】
（コンタクトの弾性変形の仕方）
図４に示されるように、コンタクト２０の第一直線部２４に後方向の荷重Ｆ１が作用したり、接触部２５に下方向の荷重Ｆ２が作用したりすると、コンタクト２０のうち主として第一湾曲部２３Ａが弾性変形する。
すると、図３や図４に示される自由状態と比較して、固定部２２と接触部２５との上下方向の離間距離が小さくなる。また、第一湾曲部２３Ａよりも他端側の部分（つまり係止部２７や傾斜部２８）が、幅方向の軸周りに若干回転する（図２参照）。
別の説明をすると、第一湾曲部２３Ａ付近に幅方向の仮想的な軸を想定した場合、当該仮想軸を中心として第一湾曲部２３Ａよりも他端側の部分が若干回転するような変形をする。これにより、係止部２７や傾斜部２８は、幅方向の軸周りに若干回転しながら下方へ変位する（図２参照）。
【００４１】
＜ハウジング＞
次に、図５〜図７を用いて、ハウジング３０について説明する。
【００４２】
なお、以下のハウジング３０についての説明では、図５〜図７に示される矢印Ｘをハウジング前方向、矢印Ｙをハウジング幅方向一方側、矢印Ｚをハウジング上方向として説明する。また、特記なく前後、上下、幅という語を用いる場合は、ハウジング前後方向の前後、ハウジング上下方向の上下、ハウジング幅方向の幅を示すものとする。
【００４３】
ハウジング３０は、合成樹脂で一体に成形されており、全体として略直方体形状となっている。
【００４４】
ハウジング３０は、基板に載置される底板部３１と、底板部３１から立設された複数（本実施形態では４つ）の壁部３２と、を備えている。複数の壁部３２は、それぞれ壁厚方向を幅方向に向け、幅方向に並んで設けられている。
【００４５】
これら底板部３１と壁部３２とによって、溝孔状の収容部４０が３つ形成されている。収容部４０は、コンタクト２０の一部（例えば接触部２５）を上方へ突出させた状態で、他の一部（例えば固定部２２や第一湾曲部２３Ａ）を収容する部分（空間）となる（図１参照）。
【００４６】
３つの収容部４０は互いに略同一の構造とされている。
【００４７】
以下、説明の簡略化のため、３つの収容部４０のうち最も幅方向一方側（図６の最も左側）の収容部４０についてのみ説明する。
【００４８】
図５に示されるように、収容部４０は上方へ向けて開口していると共に後方へ向けて開口しており、１つの大きな開口となっている。つまり、収容部４０は、上方から後方にかけて開口している。
【００４９】
また、収容部４０は、前方へ向けても開口している（図７参照）。ただし、複数の壁部３２は、それらの前方側かつ上方側の端部において、天板部３３により幅方向に連結されている。この天板部３３によって、上方から後方へかけての開口と前方の開口とは分離されている。
【００５０】
壁部３２の下端部には、壁部３２を壁厚方向に抉ったような形状の固定溝３４が形成されている。固定溝３４は、収容部４０を形成する一対の壁部３２の両方に形成されている。これにより、収容部４０の下端部における幅寸法Ｄ３は、収容部４０の上下方向中間部における幅寸法Ｄ２よりも大きくなっている。収容部４０の下端部には、組込み状態においてコンタクト２０の固定部２２が配置され、固定溝３４には固定部２２の係止突起２２Ｔが圧入される。
【００５１】
壁部３２の上端部には、収容部４０の幅方向内側へ向けて張り出すように一対の「係止受部」としての張出部３５が形成されている。張出部３５は、収容部４０を形成する一対の壁部３２の両方に形成されている。これにより、収容部４０の上端部における幅寸法Ｄ１は、収容部４０の上下方向中間部における幅寸法Ｄ２よりも小さくなっている。
【００５２】
張出部３５は、略直方体形状に張出している。これにより、図７に示されるように、張出部３５は、収容部４０の幅方向内側を向いた側面３５Ｓと、下方向を向いた下面３５Ｌと、ハウジング後方向を向いた後面３５Ｒと、を有している。張出部３５の下面３５Ｌと後面３５Ｒとの間には、「誘込み面」としての下角面３５Ｋ１が形成されている。下角面３５Ｋ１は、張出部３５の下面３５Ｌと後面３５Ｒとの間の角部を面取りしたような形状となっている。
【００５３】
また、張出部３５の側面３５Ｓと後面３５Ｒとの間には、横角面３５Ｋ２が形成されている。横角面３５Ｋ２は、張出部３５の側面３５Ｓと後面３５Ｒとの間の角部を面取りしたような形状となっている。
【００５４】
（コンタクト２０との寸法関係）
収容部４０の上端部における幅寸法Ｄ１は、コンタクト２０の第三直線部２６Ｃなどの幅寸法Ｗ１やコンタクト２０の第一直線部２４の幅広部２４Ａの寸法Ｗ２よりも大きく（Ｗ１、Ｗ２＜Ｄ１）、係止部２７の幅寸法Ｗ３や傾斜部２８の幅寸法Ｗ４よりも小さい（Ｄ１＜Ｗ３、Ｗ４）。
【００５５】
他方、収容部４０の上下方向中間部における幅寸法Ｄ２は、コンタクト２０の第三直線部２６Ｃなどの幅寸法Ｗ１、コンタクト２０の第一直線部２４の幅広部２４Ａの寸法Ｗ２、係止部２７の幅寸法Ｗ３や傾斜部２８の幅寸法Ｗ４よりも大きい（Ｗ１、Ｗ２、Ｗ３、Ｗ４＜Ｄ２）。
【００５６】
また、収容部４０の上下方向中間部における幅寸法Ｄ２と、コンタクト２０の係止部２７の幅寸法Ｗ３との差（つまり、Ｄ２−Ｗ３）は、張出部３５の張出し量（つまり、（Ｄ２−Ｄ１）／２）よりも小さい。
【００５７】
また、収容部４０の下端部における幅寸法Ｄ３は、コンタクト２０の固定部２２の最大寸法Ｗ５（係止突起における幅寸法）よりも若干小さくなっている。
【００５８】
＜組込み作業＞
次に、図８を用いて、コンタクト２０をハウジング３０に組み込む作業（「組込み作業」）について説明する。
【００５９】
組込み作業は、ハウジング３０の後方からコンタクト２０を収容部４０に差し込むことで行う。具体的には、収容部４０の下端部に沿うようにコンタクト２０の固定部２２を差込み、コンタクト２０の係止突起２２Ｔを固定溝３４に圧入する。
このとき、固定部２２の幅広部２２Ｂの後端に治具等を用いて前方向の力（図３の矢印Ｐ参照）を加えることにより行い、コンタクト２０の接触部２５を治具などで下方へ向けて押圧してコンタクト２０を撓ませることは行わない。
【００６０】
コンタクト２０の固定部２２の幅広部２２Ｂがハウジング３０の固定溝３４に入ると、ハウジング３０に対するコンタクト２０の姿勢（角度）が定まる。具体的には、コンタクト上下方向と、ハウジング上下方向とが一致する。
また、コンタクト２０の固定部２２の幅広部２２Ｂがハウジング３０の固定溝３４に入ると、ハウジング３０に対するコンタクト２０の固定部２２の高さ位置が定まる。具体的には、コンタクト２０の固定部２２の高さ位置と、ハウジング３０の収容部４０の下端部（固定溝３４が形成された部分）の高さ位置が一致する。
【００６１】
そのまま組込み作業を進めると、図８に示されるように、コンタクト２０の傾斜部２８が、ハウジング３０の張出部３５に当接する。このとき、コンタクト２０の傾斜部２８は、ハウジング３０の張出部３５から斜め下方向き（後方かつ下方の斜め方向）の反力を受ける。
【００６２】
さらに組込み作業を進めると、コンタクト２０の傾斜部２８をハウジング３０の張出部３５が登るようにして当接状態が続き、傾斜部２８の基端部側（係止部２７側、後方側）に近づくにつれて徐々にコンタクト２０の第一湾曲部２３Ａが撓んでいく。
別の説明をすると、コンタクト２０の傾斜部２８がハウジング３０の張出部３５から斜め下方向の反力を受けるため、コンタクト２０の傾斜部２８が下方へ移動していき、これによりコンタクト２０の第一湾曲部２３Ａが次第に弾性変形していく。
【００６３】
その後、ハウジング３０の張出部３５は、傾斜部２８と繋がる係止部２７にまで到達し、コンタクト２０の差し込み作業が完了する。具体的には、コンタクト２０の係止部２７の上面とハウジング３０の張出部３５の下面３５Ｌとが当接した状態となる（図２参照）。
【００６４】
＜組込み状態＞
次に、コンタクト２０がハウジング３０に組み込まれた状態（「組込み状態」）のコネクタ１０（以下、単に「コネクタ１０」という。）について説明する。
【００６５】
なお、以下のコネクタ１０についての説明では、図１及び図２に示される矢印Ｘをコネクタ前方向、矢印Ｙをコネクタ幅方向一方側、矢印Ｚをコネクタ上方向として説明する。また、特記なく前後、上下、幅という語を用いる場合は、コネクタ前後方向の前後、コネクタ上下方向の上下、コネクタ幅方向の幅を示すものとする。なお、コネクタ１０の前後、上下、幅方向は、ハウジング３０の前後、上下、幅方向と一致している。
【００６６】
コネクタ１０は、コンタクト２０と、コンタクト２０が組み込まれたハウジング３０と、を備えている。
【００６７】
図２に示されるように、コンタクト２０のうち、第一直線部２４の一部、接触部２５、第二直線部２６Ａ、第三湾曲部２６Ｂ及び第三直線部２６Ｃの一部は、収容部４０から突出している。これにより、コンタクト２０の接触部２５は、ハウジング３０の上面３０Ａよりも上方に位置しており、接触対象物と接触可能になっている。
【００６８】
また、コンタクト２０の固定部２２に形成された係止突起２２Ｔがハウジング３０の固定溝３４に圧入されており、コンタクト２０の固定部２２がハウジング３０の収容部４０の下端部に固定されている。
【００６９】
コンタクト２０の第一湾曲部２３Ａは、自由状態よりもさらに板厚方向内面側へ湾曲している。これにより、固定部２２と接触部２５との上下方向の離間距離が、自由状態と比較して小さくなっている。この状態で、コンタクト２０の係止部２７の上面がハウジング３０の張出部３５の下面３５Ｌに接触している。
つまり、ハウジング３０の張出部３５は、係止部２７がこれ以上コネクタ上方への移動することが制限しており、コンタクト２０の第一湾曲部２３Ａが弾性変形した状態を維持している。
【００７０】
また、コンタクト２０の第一湾曲部２３Ａよりも係止部２７側（他端側）は、自由状態と比べて、幅方向の軸周りに若干回転した状態になっている。
具体的には、自由状態でコンタクト前後方向（固定部２２の延在方向）に対して約６０度傾いていた第一直線部２４は、その延在方向を固定部２２の延在方向（コネクタ前後方向）に対して約４５度の方向に向けている。また、自由状態でコンタクト上下方向（固定部２２の板厚方向）に対して傾いていた第三直線部２６Ｃは、その延在方向を固定部２２の板厚方向（コネクタ上下方向）に向けている。
【００７１】
また、自由状態でコンタクト前後方向（固定部２２の延在方向）に対して傾いていた係止部２７は、その延在方向を固定部２２の延在方向（コネクタ前後方向）に対して平行に向けている。他方、傾斜部２８は、固定部２２の延在方向に対する傾きを自由状態と比較して小さくしているものの、依然として、固定部２２の延在方向（コネクタ前後方向）に対して傾いている。
【００７２】
＜作用・効果＞
次に、本実施形態のコネクタ１０の作用及び効果について説明する。
【００７３】
本実施形態に係るコネクタ１０では、コンタクト２０が係止部２７を備え、ハウジング３０が張出部３５を備えている。張出部３５は、コンタクト２０の係止部２７の突出方向（コネクタ上方向）への移動を制限することにより第一湾曲部２３Ａが弾性変形した状態を維持する。
このため、コンタクト２０がプリロード状態になっているので、接触部２５の小さな変位量（突出方向とは反対側の変位量、コネクタ下方向の変位量）で接触対象物に対する大きな接触圧を確保できる。
【００７４】
また、ハウジング３０は、コンタクト２０の一部（例えば接触部２５）を突出させた状態でコンタクト２０の他の一部（例えば固定部２２）を収容する収容部４０を有しており、収容部４０は、コンタクト２０の突出方向（コネクタ上方向）から当該突出方向に垂直な方向の一方側（コネクタ後方向）にかけて開口している。
このため、コンタクト２０の一部を収容部４０に収容させる作業（組込み作業）を、収容部４０に対して突出方向に垂直な方向の一方側（コネクタ後方向）からコンタクト２０を差し込むことで行うことができる。
【００７５】
さらに、コンタクト２０は、係止部２７から、突出方向と垂直な方向の一方側とは反対側である他方側（コネクタ前方向）に向けて延び、当該他方側（コネクタ前方向）へ向けて突出方向とは反対側（コネクタ下方向）へ傾斜した傾斜部２８を備えている。換言すると、傾斜部２８は、係止部２７からコンタクト２０の差込み方向前側に向けて延びており、差込み方向前側へ向けて突出方向とは反対側（コネクタ下方向）へ傾斜している。
したがって、組込み作業において、上述のようにコンタクト２０を収容部４０に差し込むときに、図８に示されるように傾斜部２８をハウジング３０の張出部３５（係止受部）に当接させることで、コンタクト２０の係止部２７をハウジング３０の張出部３５に誘い込み、固定部２２と接触部２５との突出方向の離間距離が小さくなるようにコンタクト２０の第一湾曲部２３Ａ（バネ部）を弾性変形させることができる。
つまり、ハウジング３０の収容部４０にコンタクト２０を差し込むことで、収容部４０にコンタクト２０の一部を収容させるだけでなく、コンタクト２０をプリロード状態にすることができる。
【００７６】
また、本実施形態に係るコネクタ１０では、係止部２７の突出方向（コネクタ上方向）への移動を制限する係止受部が、収容部４０の突出方向の端部（コネクタ上端部）に設けられた張出部３５であるため、収容部４０のうち、張出部３５（係止受部）に対して突出方向と反対側（ハウジング下方向）の空間を大きく確保できる。つまり、コンタクト２０がプリロード状態からさらに弾性変形する際に、その弾性変形（変形ストローク）を許容する空間を大きく確保できる。よって、充分な接触圧をより一層確保しやすい。
【００７７】
また、本実施形態に係るコネクタ１０では、係止部２７の突出方向（コネクタ上方向）への移動を制限する係止受部が、収容部４０の幅方向両側から張出した一対の張出部３５であり、係止部２７は、一対の張出部３５の両方によって突出方向（コネクタ上方向）への移動を制限される。このため、組み込まれたコンタクト２０が幅方向の片側へ傾いてしまうことが抑制される。さらに、本実施形態に係るコネクタ１０では、傾斜部２８が、係止部２７の幅方向両側からそれぞれ延びている。このため、組込み作業中、傾斜部２８が一対の張出部３５の両方に接触するので、組込み作業中に、コンタクトが幅方向の片側へ傾いてしまうことが抑制される。
【００７８】
また、本実施形態に係るコネクタ１０では、接触部２５と固定部２２との突出方向（コンタクト上下方向）の離間距離が小さくなるように第一湾曲部２３Ａが弾性変形すると、係止部２７や傾斜部２８が固定部２２に対して回転する。
このため、ハウジング３０に組み込まれた状態で、突出方向に垂直な方向（コネクタ前後方向）に対して傾斜している傾斜部２８は、組込み作業中の状態（具体的には、傾斜部２８がハウジング３０の張出部３５が当接する前の自由状態）では、さらに大きく傾斜している。具体的には、図４に示される自由状態の傾斜部２８の上下方向の寸法α０は、図２に示される組み込まれた状態の傾斜部２８の上下方向の寸法α１よりも大きい。
したがって、係止部２７を張出部３５の下面３５Ｌまで誘い込む距離（突出方向の距離、本実施形態ではα０＋β）を大きくとることができ、その結果、組込み作業においてコンタクト２０の第一湾曲部２３Ａを大きく弾性変形させることができる。
【００７９】
また、本実施形態に係るコネクタ１０では、ハウジング３０の張出部３５に「誘込み面」としての下角面３５Ｋ１が形成されている。このため、下角面３５Ｋ１のハウジング上下方向の寸法βだけ、係止部２７を張出部３５まで誘い込む距離を大きくとることができる。よって、コンタクト２０をより一層大きなプリロード状態にすることができる。
【００８０】
また、本実施形態のコネクタ１０では、ハウジング３０の収容部４０の下端部に固定溝３４が形成されており、コンタクト２０の固定部２２に形成された係止突起２２Ｔが固定溝３４に圧入されることで、コンタクト２０がハウジング３０に組み込まれる。つまり、ハウジング３０及びコンタクト２０は、組込み作業中におけるコンタクト２０の差込み軌跡を規制する差込み軌跡規制機構を備えているといえる。このため、差込み作業において、コンタクト２０の傾斜部２８をハウジング３０の張出部３５（の下角面３５Ｋ１）に上手く当接させ、スムーズに組込み作業を行うことができる。
【００８１】
また、本実施形態のコネクタ１０の組込み方法では、コンタクト２０の接触部２５や第一直線部２４などを治具等で押圧してコンタクト２０を撓ませることなく、ハウジング３０にコンタクト２０を組み込む。
このため、コンタクトの接触部を治具等で押圧してコンタクトを撓ませながらハウジングにコンタクトを組み込む組込み方法と比較して、組込みの際に治具等と接触する接点部に損傷が生じる虞を低減することができる。また、ハウジングにコンタクトを組み込んだ後、コンタクトの接触部などを治具等で押圧してコンタクトをプリロード状態にする方法と比較して、生産性に優れ、かつ製造時にコンタクト２０に損傷が生じにくいコネクタ１０とすることができる。
【００８２】
〔上記実施形態の補足説明〕
なお、上記実施形態では、傾斜部２８が、その基端部の板厚方向内面側へ屈曲した接続部２８Ａと、接続部２８Ａから前方かつ下方の斜め方向に直線状に延びる本体部２８Ｂと、を備えている例を説明した。しかし本発明はこれに限定されない。
例えば、傾斜部２８の本体部２８Ｂが直線状に延びていなくてもよく、傾斜部全体がコンタクト幅方向から見て曲がっていてもよい。
【００８３】
また、上記実施形態では、３つのコンタクト２０を備えているコネクタ１０について説明した。しかし、本発明に係るコネクタはこれに限定されず、少なくとも１つのコンタクトを備えていればよい。
【００８４】
また、上記実施形態では、コンタクト２０の接触部２５や第一直線部２４などを治具等で押圧してコンタクト２０を撓ませることなく、ハウジング３０にコンタクト２０を組み込む組込み方法を説明した。しかし、本発明に係るコネクタは、この組込み方法によって製造されたコネクタに限定されない。例えば、コンタクト２０の接触部２５などを補助的に治具で抑えつつ、コンタクト２０を収容部４０に差し込んで製造されたコネクタであってもよい。
【符号の説明】
【００８５】
１０   コネクタ
２０   コンタクト
２２   固定部
２３Ａ 第一湾曲部（バネ部）
２５   接触部
２７   係止部
２８   傾斜部
３０   ハウジング
３４   固定溝
３５   張出部（係止受部）
４０   収容部
【図１】
2018133316.tif 000003
【図２】
2018133316.tif 000004
【図３】
2018133316.tif 000005
【図４】
2018133316.tif 000006
【図５】
2018133316.tif 000007
【図６】
2018133316.tif 000008
【図７】
2018133316.tif 000009
【図８】
2018133316.tif 000010